(57)【要約】  第一室外機および室内機１１が配管接続され、第一冷媒が循環する第一冷媒系統と、調湿装置と、を備え、第一冷媒の蒸発温度が目標露点温度以上となるように制御される空気調和システム１００であって、室内温度が予め決められた値上昇した場合に目標露点温度を下げ、目標露点温度を下げた後も室内温度が予め決められた値上昇した場合は蒸発温度を下げるものである。
2015193950.tif 000002
【特許請求の範囲】
【請求項１】
第一室外機および室内機が配管接続され、第一冷媒が循環する第一冷媒系統と、調湿装置と、を備え、
前記第一冷媒の蒸発温度が目標露点温度以上となるように制御される空気調和システムであって、
室内温度が予め決められた値上昇した場合に前記目標露点温度を下げ、該目標露点温度を下げた後も前記室内温度が予め決められた値上昇した場合は前記蒸発温度を下げる
空気調和システム。
【請求項２】
前記第一冷媒系統は、第一圧縮機、第一室外熱交換器、第一膨張弁、および、室内熱交換器を有し、
前記第一室外機は、前記第一圧縮機、および、前記第一室外熱交換器を有し、
前記室内機は、前記第一膨張弁、および、前記室内熱交換器を有し、
前記室内機が冷房運転を行い、前記調湿装置が加湿運転を行う際に、
前記室内機は室内温度が目標室内温度となるように制御され、
前記調湿装置は室内湿度が目標室内湿度となるように制御される
請求項１に記載の空気調和システム。
【請求項３】
第二室外機および前記調湿装置が配管接続され、第二冷媒が循環する第二冷媒系統を備え、
前記第二冷媒系統は、第二圧縮機、第二室外熱交換器、第二膨脹弁、および、加熱器を有し、
前記第二室外機は、前記第二圧縮機、および、前記第二室外熱交換器を有し、
前記調湿装置は、前記第二膨脹弁、加熱器、および、加湿エレメントを有し、
前記加湿エレメントは、前記加熱器で加熱された空気を通過させることで水分を気化させて加湿する
請求項１または２に記載の空気調和システム。
【請求項４】
前記目標露点温度を予め決められた値下げることで、前記加熱器を停止させる
請求項３に記載の空気調和システム。
【請求項５】
前記室内温度が予め決められた値下降した場合に前記目標露点温度および前記蒸発温度を同時に上げる
請求項１〜４のいずれか一項に記載の空気調和システム。
【請求項６】
前記室内温度と前記目標室内温度との差ΔＴが予め決められた値ΔＴ１以上になったら前記目標露点温度を予め決められた値ΔＴｄｐ下げる
請求項２〜５のいずれか一項に記載の空気調和システム。
【請求項７】
前記ΔＴが前記ΔＴ１より大きい値である予め決められた値ΔＴ２以上になったら前記蒸発温度を前記ΔＴｄｐ下げる
請求項６に記載の空気調和システム。
【請求項８】
前記目標露点温度および前記蒸発温度を前記ΔＴｄｐ下げた状態において、
前記ΔＴが前記ΔＴ１より小さい値である予め決められた値ΔＴ３未満になったら
前記目標露点温度および前記蒸発温度を前記ΔＴｄｐ上げて元の値に戻す
請求項７に記載の空気調和システム。
【請求項９】
前記蒸発温度は、前記目標露点温度よりも予め決められた値だけ大きい値となるように制御される
請求項１〜８のいずれか一項に記載の空気調和システム。
【請求項１０】
前記第一冷媒系統を複数有する場合において、
複数の前記第一冷媒系統のうちいずれか一つの第一冷媒の蒸発温度を下げる
請求項１〜９のいずれか一項に記載の空気調和システム。
【発明の詳細な説明】
【技術分野】
【０００１】
本発明は、同一の室内空間を対象とする調湿装置および空調装置を備える空気調和システムに関するものである。
【背景技術】
【０００２】
従来より、室内空間の温度を調節するための空気調和装置と、室内空間の湿度を調節するための調湿装置とが知られている。たとえばオフィスや店舗などでは様々な熱源が存在するため、冬期でも空気調和装置によって冷房を行うことが頻繁に行われている。また、冬期は室内湿度が低くなるため、加湿装置などによる加湿を行う必要が生じる。【０００３】
しかし、加湿を行いながら空気調和装置によって冷房を行うと、空気調和装置で不要な除湿が発生し、その結果、消費電力が増大してしまう。
そこで、空気調和装置の冷媒の蒸発温度を室内空気の露点温度以上に制御することにより、不要な除湿を抑制し、省エネ性を向上させたものがある（たとえば、特許文献１参照）。【０００４】
また、目標室内温度および目標室内湿度に基づいて計算した露点温度を基準温度に設定し、空気調和装置の冷媒の蒸発温度を基準温度以上となるように制御するとともに、冷房能力不足により室内温度が目標室内温度を上回る状態で次第に上昇していく第一条件と、蒸発温度の計測値と基準温度との差が判定値を下回る第二条件とが成立したら、目標室内湿度の値を強制的に引き下げる。こうすることにより、目標室内温度と引き下げた後の目標室内湿度とから計算される露点温度（基準温度）、および蒸発温度を下げて冷房能力を向上させたものがある（たとえば、特許文献２参照）。
【先行技術文献】
【特許文献】
【０００５】
【特許文献１】特開２００４−１３８２７１号公報（たとえば、［００１４］、［００１９］、［００２１］参照）
【特許文献２】特開２００６−３２９４７１号公報（たとえば、［０００８］〜［００１３］参照）
【発明の概要】
【発明が解決しようとする課題】
【０００６】
しかし、特許文献１では、空気調和装置の冷媒の蒸発温度を室内空気の露点温度以上にすると、冷房能力が低下して室内温度が上昇してしまい、快適性が低下してしまうという課題があった。【０００７】
また、特許文献２では、上記第一条件と上記第二条件とが成立したら目標室内湿度の値を強制的に引き下げるとしているが、室内の実際の湿度が下降する前に冷媒の蒸発温度を下げることになる。そのため、不要な除湿が発生し、省エネ性が低下してしまうという課題があった。また、目標室内湿度を下げて室内温度が下がった（目標室内温度に近づいた）後では目標室内湿度を元に戻すタイミングが無いため、室内の湿度目標値よりも常に低い状態が続くことになり、快適性が低下してしまうという課題があった。【０００８】
本発明は、以上のような課題を解決するためになされたもので、省エネ性および快適性を向上させることができる空気調和システムを提供することを目的としている。
【課題を解決するための手段】
【０００９】
本発明に係る空気調和システムは、第一室外機および室内機が配管接続され、第一冷媒が循環する第一冷媒系統と、調湿装置と、を備え、前記第一冷媒の蒸発温度が目標露点温度以上となるように制御される空気調和システムであって、室内温度が予め決められた値上昇した場合に前記目標露点温度を下げ、該目標露点温度を下げた後も前記室内温度が予め決められた値上昇した場合は前記蒸発温度を下げるものである。
【発明の効果】
【００１０】
本発明に係る空気調和システムによれば、室内温度が予め決められた値上昇した場合に目標露点温度を下げて冷房負荷を減らし、目標露点温度を下げた後も室内温度が予め決められた値上昇した場合は蒸発温度を下げて冷房能力を上げることで、不要な除湿を抑制して省エネ性を高めたまま、室内温度を目標室内温度に素早く到達させることが可能となり、快適性が上昇する。
【図面の簡単な説明】
【００１１】
【図１】本発明の実施の形態１に係る空気調和システムの概略図である。
【図２】本発明の実施の形態１に係る空気調和システムの室内機系統の冷媒回路図である。
【図３】本発明の実施の形態１に係る空気調和システムの換気装置系統の冷媒回路図である。
【図４】本発明の実施の形態１に係る空気調和システムの換気装置の概略図である。
【図５】本発明の実施の形態１に係る空気調和システムの空気線図である。
【図６】本発明の実施の形態１に係る空気調和システムの室内温度上昇時の動作概略図である。
【図７】本発明の実施の形態１に係る空気調和システムの空気線図である。
【図８】本発明の実施の形態１に係る空気調和システムの室内温度下降時の動作概略図である。
【図９】本発明の実施の形態１に係る空気調和システムの制御フローチャートである。
【図１０】本発明の実施の形態２に係る空気調和システムの概略図である。
【発明を実施するための形態】
【００１２】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１３】
実施の形態１．
図１は、本発明の実施の形態１に係る空気調和システム１００の概略図、図２は、本発明の実施の形態１に係る空気調和システム１００の室内機系統１０の冷媒回路図、図３は、本発明の実施の形態１に係る空気調和システム１００の換気装置系統２０の冷媒回路図である。なお、図３に記載のＯＡは室外空気、ＳＡは給気、ＲＡは室内空気、ＥＡは排気のことであり、後述する図５および図７でも同様である。
【００１４】
まず初めに、空気調和システム１００の構成について説明する。
この空気調和システム１００は、ビルやマンションなどに設置され、冷媒を循環させる冷媒系統を利用することで冷房負荷や暖房負荷を供給できるものである。空気調和システム１００は、室内機系統１０および換気装置系統２０の２系統の冷媒系統から構成され、それらは伝送線（図示せず）で集中コントローラ１０２に接続されている。また、集中コントローラ１０２は空気調和システム１００を制御するものであり、目標室内温度（室内の設定温度）および目標室内湿度（室内の設定湿度）の設定も行う。
【００１５】
なお、室内機系統１０は本発明の「第一冷媒系統」に相当し、換気装置系統２０は本発明の「第二冷媒系統」に相当する。
【００１６】
室内機系統１０は、たとえば２つの室内機１１が室内機系統室外機１２と冷媒配管５１でそれぞれ接続され、冷媒が循環する。換気装置系統２０は、たとえば１つの換気装置２１が換気装置系統室外機２２と冷媒配管５２で接続され、冷媒が循環する。
【００１７】
なお、室内機系統１０を循環する冷媒は本発明の「第一冷媒」に相当し、換気装置系統２０を循環する冷媒は本発明の「第二冷媒」に相当する。また、室内機系統室外機１２は本発明の「第一室外機」に相当し、換気装置系統室外機２２は本発明の「第二室外機」に相当する。
【００１８】
また、室内機１１、室内機系統室外機１２、換気装置２１、および換気装置系統室外機２２は、それぞれ伝送線（図示せず）で集中コントローラ１０２に接続されている。
なお、本実施の形態１では室内機１１の数を２つ、換気装置２１の数を１つとしたが、それに限定されず、それぞれ他の数にしてもよい。
【００１９】
室内機系統１０は、圧縮機１３と、四方弁１４と、室外熱交換器用送風機１８が設けられた室外熱交換器１５と、膨張弁１６と、室内熱交換器用送風機１９が設けられた室内熱交換器１７と、を備えている。また、膨張弁１６および室内熱交換器１７は室内機１１を構成し、圧縮機１３、四方弁１４、および室外熱交換器１５は室内機系統室外機１２を構成している。そして、室内機１１の冷房運転時には、図２に示す矢印の方向に冷媒が流れる。
なお、四方弁１４は冷媒流路を切り替えるためのものであるが、四方弁１４ではなく二方弁、三方弁を組み合わせて冷媒流路を切り替えるようにしてもよい。
【００２０】
また、各室内機１１には、室内空気の温度を検出する温度センサ４１が設けられており、室内機系統室外機１２には、冷媒の蒸発温度を検出する蒸発温度センサ４２が設けられている。
【００２１】
なお、圧縮機１３は本発明の「第一圧縮機」に相当し、室外熱交換器１５は本発明の「第一室外熱交換器」に相当し、膨張弁１６は本発明の「第一膨張弁」に相当する。
【００２２】
換気装置系統２０は、圧縮機２３と、四方弁２４と、室外熱交換器用送風機２７が設けられた室外熱交換器２５と、膨張弁２６と、加熱器２８と、を備えている。また、膨張弁２６および加熱器２８は換気装置２１を構成し、圧縮機２３、四方弁２４、および室外熱交換器２５は換気装置系統室外機２２を構成している。そして、換気装置２１の加湿運転時には、図３に示す矢印の方向に冷媒が流れる。
【００２３】
なお、圧縮機２３は本発明の「第二圧縮機」に相当し、室外熱交換器２５は本発明の「第二室外熱交換器」に相当し、膨張弁２６は本発明の「第二膨張弁」に相当する。
する。
【００２４】
図４は、本発明の実施の形態１に係る空気調和システム１００の換気装置２１の概略図である。
換気装置２１は、上記の膨張弁２６および加熱器２８の他、給気用送風機３２と、排気用送風機３３と、室内空気と室外空気との全熱交換を行う全熱交換器３５と、加湿エレメント３４と、室内空気の湿度を検出する湿度センサ３１と、を備えている。
【００２５】
また、加熱部である加熱器２８および加湿部である加湿エレメント３４は、湿度調整を行う調湿部を構成している。
加熱器２８は、たとえば直膨コイルで構成され、全熱交換器３５で室内空気と熱交換した後の室外空気を加熱する。
加湿エレメント３４は、加熱器２８で加熱された室外空気を通過させることで水分を気化させて加湿する。
なお、加湿エレメント３４を通過させる前に室外空気を加熱器２８で加熱することにより、加湿量を増加させている。
また、換気装置２１は本発明の「調湿装置」に相当する。
【００２６】
図５は、本発明の実施の形態１に係る空気調和システム１００の空気線図である。なお、図５において、左側よりも右側がより高温であり、下側よりも上側がより高湿である。
図５は、室外空気（ＯＡ）が換気装置２１を通過する際の温度および湿度の変化を示している。換気装置２１内に取り込まれた室外空気（ＯＡ）は、全熱交換器３５で室内空気（ＲＡ）と熱交換することにより、温度、湿度ともに上昇して点ａの位置となる。点ａの空気は加熱器２８で加熱され、温度のみ上昇して点ｂの位置となる。点ｂの空気は加湿エレメント３４で加湿され、給気（ＳＡ）として室内に供給される。なお、加湿により給気（ＳＡ）の温度は点ｂから下降するが、室内空気（ＲＡ）よりも高い状態となる。
【００２７】
次に、空気調和システム１００の動作について説明する。
なお、本実施の形態１では、室内機系統１０の室内機１１は冷房運転を行い、換気装置系統２０の換気装置２１は加湿運転を行うものとする。
室内機系統１０（の室内機１１）は、室内空気の温度調整を行う役割を果たし、温度センサ４１で検出された室内空気温度が、集中コントローラ１０２で設定された目標室内温度（室内の設定温度）になるように制御される。
【００２８】
室内空気温度が目標室内温度に近づいたら、室内機１１の膨張弁１６の開度を小さくして、冷媒流量を減らすことにより冷房能力を小さくする。そして、室内空気温度Ｔａが目標室内温度以下となった場合は、室内機１１の膨張弁１６を全閉として、冷媒流量を０にすることにより冷房能力を０とする（サーモオフ）。
【００２９】
また、換気装置系統２０（の換気装置２１）は、室内空気の湿度調整を行う役割を果たし、室外空気を加湿して室内に供給する。加湿は、湿度センサ３１で検出された室内空気湿度が、集中コントローラ１０２で設定された目標室内湿度（室内の設定湿度）になるように制御される。なお、目標室内湿度は相対湿度を用いてもよいし、絶対湿度を用いてもよい。
【００３０】
室内空気湿度が目標室内湿度に近づいたら、換気装置２１の膨張弁２６の開度を小さくして、冷媒流量を減らして加熱能力を小さくすることにより加湿量を小さくする。そして、室内空気湿度が目標室内湿度以上となった場合は、換気装置２１の膨張弁２６を全閉として、冷媒流量を０にすることにより加熱能力を０とする。このとき、給気（ＳＡ）は加熱器２８で加熱されず、室内温度（ＲＡ）よりも低くなるので冷房効果があり、室内空気の温度調整を行う役割を果たす。
【００３１】
また、室内機系統１０の室内機系統室外機１２に設けられた蒸発温度センサ４２の検出値が、目標室内温度および目標室内湿度から算出される目標露点温度よりも予め決められた値ｘ（℃）だけ高くなるように制御され、室内機１１で除湿されないようにする。これは、冷媒の蒸発温度が目標露点温度以下になると、室内機１１が結露してしまい、本来は不要な除湿が発生してしまうので、それを防ぐためである。
なお、目標露点温度は目標室内温度および目標室内湿度から算出して求めた値を用いるのではなく、実測した値を用いてもよい。
【００３２】
図６は、本発明の実施の形態１に係る空気調和システム１００の室内温度上昇時の動作概略図、図７は、本発明の実施の形態１に係る空気調和システム１００の空気線図である。なお、図７において、左側よりも右側がより高温であり、下側よりも上側がより高湿である。
【００３３】
上記内容で動作している際に、温度センサ４１で検出された室内空気温度（実測室内温度）Ｔａが次第に上昇し、目標室内温度（室内の設定温度）Ｔａ＿ｔｇｔ（℃）との差ΔＴ（絶対値）が次第に大きくなる場合は、冷房能力不足であると判定される。そして、冷房能力不足であると判定された場合は、図６に示すように目標露点温度、蒸発温度を変更してΔＴが０、つまり室内空気温度Ｔａ（℃）が目標室内温度Ｔａ＿ｔｇｔ（℃）となるように制御する。なお、蒸発温度の変更は膨張弁１６の開度を調節することにより行われる。
【００３４】
まず、室内温度上昇時の空気調和システム１００の動作について説明する。
最初はΔＴ＝０、目標露点温度はＴｄｐ＿ｔｇｔ（℃）、蒸発温度はＴｄｐ＿ｔｇｔ＋ｘ（℃）とする。そして、室内温度が上昇するにつれΔＴが次第に大きくなり、ΔＴが予め決められた値ΔＴ１以上になったら、（目標室内湿度を下げることで）目標露点温度を予め決められた値ΔＴｄｐ（℃）だけ下げ、Ｔｄｐ＿ｔｇｔ−ΔＴｄｐ（℃）に変更する。
【００３５】
目標露点温度をΔＴｄｐ（℃）下げることで、換気装置２１の加熱器２８の加熱能力を０（加湿エレメント３４の加湿量を０）にして、図７に示すように給気（ＳＡ）の温度を加熱および加湿した場合（図５参照）に比べて下げることで、冷房負荷を低減する。ここで、冷房負荷を低減できるのは、給気（ＳＡ）は加熱器２８で加熱されず、室内温度（ＲＡ）よりも低くなるので、冷房効果があるためである。このとき、蒸発温度はＴｄｐ＿ｔｇｔ＋ｘ（℃）のままとする。
【００３６】
このように目標露点温度を下げ、室内温度が安定または下がれば蒸発温度を下げることなく室内温度を目標室内温度に近づけることが可能となり、快適性が向上する。また、蒸発温度を下げないので、運転効率が高い状態が維持され、また、不要な除湿を抑制できるので、省エネ性が向上する。
【００３７】
一方、目標露点温度を下げても室内温度が上昇し、ΔＴがΔＴ２以上になった場合は、蒸発温度をΔＴｄｐ（℃）だけ下げ、Ｔｄｐ＿ｔｇｔ＋ｘ−ΔＴｄｐ（℃）に変更する。蒸発温度をΔＴｄｐ（℃）下げることで、冷房能力を上げる。このとき、ΔＴがΔＴ１からΔＴ２に上昇するまでの間に室内湿度も下がっているので、室内熱交換器１７での除湿量増加（つまり、不要な除湿）は抑制され、省エネ性が向上する。
なお、ΔＴがΔＴ２以上になった後は、目標露点温度をＴｄｐ＿ｔｇｔ−ΔＴｄｐ（℃）、蒸発温度をＴｄｐ＿ｔｇｔ＋ｘ−ΔＴｄｐ（℃）のままとする。
【００３８】
図８は、本発明の実施の形態１に係る空気調和システム１００の室内温度下降時の動作概略図である。
次に、室内温度下降時の空気調和システム１００の動作について説明する。
最初はΔＴ≧ΔＴ２、目標露点温度はＴｄｐ＿ｔｇｔ−ΔＴｄｐ（℃）、蒸発温度はＴｄｐ＿ｔｇｔ＋ｘ−ΔＴｄｐ（℃）とする。そして、室内温度が下降するにつれΔＴが次第に小さくなり、ΔＴが予め決められた値ΔＴ３（＜ΔＴ１）未満になったら、目標露点温度および蒸発温度を予め決められた値ΔＴｄｐ（℃）だけ上げ、それぞれＴｄｐ＿ｔｇｔ（℃）、Ｔｄｐ＿ｔｇｔ＋ｘ（℃）に戻す。
なお、ΔＴ３の値をΔＴ１未満としているのは、目標露点温度が頻繁に切り替わるのを防止するためであり、室内温度上昇時にΔＴ１以上になったら目標露点温度を下げるが、室内温度下降時にΔＴがΔＴ１以下になった場合に、すぐに目標露点温度を元に戻さず、ΔＴが十分小さくなってから（ΔＴ３未満になってから）元に戻すようにするためである。
【００３９】
目標露点温度を上げる（元の値に戻す）ことで、換気装置２１の加熱器２８の加熱能力を上げ、加湿量を大きくすることで、室内湿度を目標室内湿度に到達させることができる。また、蒸発温度を上げる（元の値に戻す）ことで、不要な除湿を抑制することができる。
【００４０】
図９は、本発明の実施の形態１に係る空気調和システム１００の制御フローである。
次に、空気調和システム１００の動作について図９の制御フローチャートを用いて詳細に説明する。
目標室内温度がＴａ＿ｔｇｔ、目標室内湿度がＲＨ＿ｔｇｔに設定された空気調和システム１００の運転開始後（Ｓ１）、目標室内温度Ｔａ＿ｔｇｔおよび目標室内湿度ＲＨ＿ｔｇｔから目標露点温度Ｔｄｐ＿ｔｇｔを算出する（Ｓ２）。その後、室内空気温度Ｔａおよび室内空気湿度ＲＨを検出し（Ｓ３）、ΔＴ（＝Ｔａ−Ｔａ＿ｔｇｔ）を算出する（Ｓ４）。
【００４１】
その後、ΔＴ＜ΔＴ３かどうかを判定し（Ｓ５）、Ｓ５においてＮｏなら、目標露点温度をＴｄｐ＿ｔｇｔ−ΔＴｄｐ、蒸発温度をＴｄｐ＿ｔｇｔ＋ｘ−ΔＴｄｐとして、不要な除湿を抑制したまま室内温度を素早く目標室内温度に近づける（Ｓ６）。その後、再びΔＴ＜ΔＴ３かどうかの判定を行う（Ｓ５）。
【００４２】
一方、Ｓ５においてＹｅｓなら、目標露点温度をＴｄｐ＿ｔｇｔ、蒸発温度をＴｄｐ＿ｔｇｔ＋ｘとして（Ｓ７）、不要な除湿を抑制したまま室内温度を目標室内温度に、室内湿度を目標室内湿度にそれぞれ素早く近づける。
【００４３】
その後、ΔＴ＜ΔＴ１かどうかを判定し（Ｓ８）、Ｓ８においてＹｅｓなら、目標露点温度および蒸発温度はそのままとする。一方、Ｓ８においてＮｏなら、ΔＴ＜ΔＴ２かどうかを判定し（Ｓ９）、Ｓ９においてＹｅｓなら、目標露点温度をＴｄｐ＿ｔｇｔ−ΔＴｄｐとし、蒸発温度はそのままとする（Ｓ１０）。ここでは、目標露点温度を下げることで加湿量を小さくし、冷房負荷を低減させる。
【００４４】
一方、Ｓ９においてＮｏなら、目標露点温度をＴｄｐ＿ｔｇｔ−ΔＴｄｐ、蒸発温度をＴｄｐ＿ｔｇｔ＋ｘ−ΔＴｄｐとして、不要な除湿を抑制したまま室内温度を素早く目標室内温度に近づける（Ｓ６）。
【００４５】
以上のように、室内温度上昇時にΔＴがΔＴ１以上になったら目標露点温度を下げて冷房負荷を減らし、ΔＴがΔＴ２以上になったら蒸発温度を下げて冷房能力を上げることで、不要な除湿を抑制して省エネ性を高めたまま、室内温度を目標室内温度に素早く到達させることが可能となり、快適性が上昇する。また、室内温度下降時にΔＴがΔＴ３未満になったら目標露点温度および蒸発温度を元の値に戻すことで、不要な除湿を抑制しつつ、室内湿度を目標室内湿度に到達させることができる。
【００４６】
なお、ΔＴｄｐ（℃）は、たとえば相対湿度５％分の露点温度変化量に設定するとよい。そうすることで、目標室内温度−５％で室内湿度が維持され、快適性の低下を抑制できる。また、ΔＴ１は０．５、ΔＴ２は１、ΔＴ３は０の値にそれぞれ設定するとよい。ΔＴ３を０とすることで、室内温度下降時には目標室内温度に到達する時間が早くなる。また、ΔＴ１を０．５、ΔＴ２を１にすることで、室内温度も約１℃以内で維持可能となり、快適性の低下を抑制できる。
【００４７】
また、本実施の形態１では、室内空気の湿度調整を、冷媒回路を備えた換気装置系統２０の換気装置２１によって行っているが、それに限定されず、冷媒回路を備えず、加熱部と加湿部とを備えた調湿装置によって行ってもよい。
【００４８】
実施の形態２．
図１０は、本発明の実施の形態２に係る空気調和システム１００の概略図である。
以下、本実施の形態２について説明するが、実施の形態１と重複するものについては省略し、実施の形態１と同じ部分または相当する部分には同じ符号を付す。
【００４９】
本実施の形態２に係る空気調和システム１００は、図１０に示すように室内機系統１０を２つ有する。空気調和システム１００の運転中にΔＴ≧ΔＴ２となって蒸発温度を低下させる場合は、どちらか一方の室内機系統１０の蒸発温度のみを下げるようにする。そうすることで、不要な除湿を抑制し、省エネ性が向上する。
【符号の説明】
【００５０】
１０  室内機系統、１１  室内機、１２  室内機系統室外機、１３  圧縮機、１４  四方弁、１５  室外熱交換器、１６  膨張弁、１７  室内熱交換器、１８  室外熱交換器用送風機、１９  室内熱交換器用送風機、２０  換気装置系統、２１  換気装置、２２  換気装置系統室外機、２３  圧縮機、２４  四方弁、２５  室外熱交換器、２６  膨張弁、２７  室外熱交換器用送風機、２８  加熱器、３１  湿度センサ、３２  給気用送風機、３３  排気用送風機、３４  加湿エレメント、３５  全熱交換器、４１  湿度センサ、４２  蒸発温度センサ、５１  冷媒配管、５２  冷媒配管、１００  空気調和システム、１０２  集中コントローラ。
【図１】
2015193950.tif 000003
【図２】
2015193950.tif 000004
【図３】
2015193950.tif 000005
【図４】
2015193950.tif 000006
【図５】
2015193950.tif 000007
【図６】
2015193950.tif 000008
【図７】
2015193950.tif 000009
【図８】
2015193950.tif 000010
【図９】
2015193950.tif 000011
【図１０】
2015193950.tif 000012
【手続補正書】
【提出日】平成28年7月28日(2016.7.28)
【手続補正１】
【補正対象書類名】明細書
【補正対象項目名】０００９
【補正方法】変更
【補正の内容】
【０００９】
本発明に係る空気調和システムは、第一室外機および室内機を有し、第一冷媒が循環する第一冷媒系統を備え、前記第一冷媒の蒸発温度が目標露点温度以上となるように制御される空気調和システムであって、室内温度が予め決められた第一温度上昇した場合に前記目標露点温度を下げ、該目標露点温度を下げた後も前記室内温度が予め決められた第二温度上昇した場合は前記蒸発温度を下げるものである。
【手続補正２】
【補正対象書類名】特許請求の範囲
【補正対象項目名】全文
【補正方法】変更
【補正の内容】
【特許請求の範囲】
【請求項１】
第一室外機および室内機を有し、第一冷媒が循環する第一冷媒系統を備え、
前記第一冷媒の蒸発温度が目標露点温度以上となるように制御される空気調和システムであって、
室内温度が予め決められた第一温度上昇した場合に前記目標露点温度を下げ、該目標露点温度を下げた後も前記室内温度が予め決められた第二温度上昇した場合は前記蒸発温度を下げる
空気調和システム。
【請求項２】
調湿装置を備え、
前記第一冷媒系統は、第一圧縮機、第一室外熱交換器、第一膨張弁、および、室内熱交換器を有し、
前記第一室外機は、前記第一圧縮機、および、前記第一室外熱交換器を有し、
前記室内機は、前記第一膨張弁、および、前記室内熱交換器を有し、
前記室内機が冷房運転を行い、前記調湿装置が加湿運転を行う際に、
前記室内機は室内温度が目標室内温度となるように制御され、
前記調湿装置は室内湿度が目標室内湿度となるように制御される
請求項１に記載の空気調和システム。
【請求項３】
第二室外機および前記調湿装置を有し、第二冷媒が循環する第二冷媒系統を備え、
前記第二冷媒系統は、第二圧縮機、第二室外熱交換器、第二膨脹弁、および、加熱器を有し、
前記第二室外機は、前記第二圧縮機、および、前記第二室外熱交換器を有し、
前記調湿装置は、前記第二膨脹弁、加熱器、および、加湿エレメントを有し、
前記加湿エレメントは、前記加熱器で加熱された空気を通過させることで水分を気化させて加湿する
請求項２に記載の空気調和システム。
【請求項４】
前記目標露点温度を予め決められた温度下げることで、前記加熱器を停止させる
請求項３に記載の空気調和システム。
【請求項５】
前記室内温度が予め決められた温度下降した場合に前記目標露点温度および前記蒸発温度を同時に上げる
請求項１〜４のいずれか一項に記載の空気調和システム。
【請求項６】
前記室内温度と前記目標室内温度との差ΔＴが予め決められた前記第一温度に対応するΔＴ１以上になったら前記目標露点温度を予め決められたΔＴｄｐ下げる
請求項２〜５のいずれか一項に記載の空気調和システム。
【請求項７】
前記ΔＴが前記ΔＴ１より大きい予め決められた前記第二温度に対応するΔＴ２以上になったら前記蒸発温度を前記ΔＴｄｐ下げる
請求項６に記載の空気調和システム。
【請求項８】
前記目標露点温度および前記蒸発温度を前記ΔＴｄｐ下げた状態において、
前記ΔＴが前記ΔＴ１より小さい予め決められたΔＴ３未満になったら
前記目標露点温度および前記蒸発温度を前記ΔＴｄｐ上げて元の値に戻す
請求項７に記載の空気調和システム。
【請求項９】
前記蒸発温度は、前記目標露点温度よりも予め決められた温度ｘだけ大きくなるように制御される
請求項１〜８のいずれか一項に記載の空気調和システム。
【請求項１０】
前記第一冷媒系統を複数有する場合において、
複数の前記第一冷媒系統のうちいずれか一つの第一冷媒の蒸発温度を下げる
請求項１〜９のいずれか一項に記載の空気調和システム。
【手続補正３】
【補正対象書類名】図面
【補正対象項目名】図９
【補正方法】変更
【補正の内容】
【図９】
2015193950.tif 000013
【国際調査報告】
2015193950.tif 000014
2015193950.tif 000015
2015193950.tif 000016
2015193950.tif 000017